(57)【要約】【課題】  反射部材の位置調整作業のためのアクセスをネジ式のものとは異なる方向からできるようにする。【解決手段】  感光体に光ビームを照射して書き込みを行う過程で、反射部材８０ｂにより光ビームを反射する構成とする。反射部材８０ｂの位置決めをカム９０の回動位置に応じて行う構成とする。これにより、反射部材８０ｂの位置調整作業のためのアクセス方向がネジ式のものとは異なる方向となる。【選択図】    図４
2005084448.tif 000002
【特許請求の範囲】
【請求項１】
像担持体に光ビームを照射して書き込みを行う過程で、反射部材により光ビームを反射する光書込装置において、
カムの回動位置に応じて前記反射部材の位置決めを行う位置決め機構を備える、ことを特徴とする光書込装置。
【請求項２】
前記カムの外周形状は、少なくとも２つの半径の異なる円周を組み合わせた形状である、ことを特徴とする請求項１記載の光書込装置。
【請求項３】
前記カムは、当該カムの回動角度と、この回動角度に対応する当該カムの径方向の距離とが比例する形状に形成されている、ことを特徴とする請求項１記載の光書込装置。
【請求項４】
前記カムは、前記反射部材に対する位置決めの調整幅が大きい第１のカムと前記反射部材に対する位置決めの調整幅が小さい第２のカムとが組み合わされて構成されている、ことを特徴とする請求項１記載の光書込装置。
【請求項５】
前記位置決め機構は、レバー支点を中心に回動自在であり前記レバー支点から離れた位置に前記カムを保持するレバーを有し、このレバーの回動位置に応じても前記反射部材の回動方向の位置決めを行い、
前記レバーの前記反射部材に対する位置決めの調整幅は、前記カムの前記反射部材に対する位置決めの調整幅よりも大きい、ことを特徴とする請求項１記載の光書込装置。
【請求項６】
複数の光路を備え、
前記反射部材は、複数設けられて、複数の前記光路に配置され、
前記位置決め機構は、互いに異なる前記光路に配置された少なくとも２つの前記反射部材毎に設けられ、それらの前記位置決め機構は、位置決めの調整量が異なる、ことを特徴とする請求項１，２，３，４又は５記載の光書込装置。
【請求項７】
光書込装置により像担持体に光を照射して書き込んだ画像を現像して記録媒体に転写する画像形成装置において、
前記光書込装置を請求項１，２，３，４，５又は６記載の光書込装置としたことを特徴とする画像形成装置。
【発明の詳細な説明】
【技術分野】
【０００１】
本発明は、複写機、プリンタ、ファクシミリ等の画像形成装置及びこの画像形成装置に用いられる光書込装置に関する。
【背景技術】
【０００２】
近年、電子写真方式の複写機、プリンタ、ファクシミリ等の画像形成装置では、高品質な画像や高速度や省スペースや省エネなどが要求されているため、画像形成装置に使用される光書込装置に用いる光学系も高性能なものが用いられるようになってきている。また、従来の白黒に対して、カラーの画像形成装置も普及している。カラー画像を形成する場合は、１つの像担持体で複数色の像を重ねる方法や、複数の像担持体で複数色の画像を重ねる方法により、複数の色を重ね合わせている。
【０００３】
カラー画像の品質を低下させる原因のひとつとして、複数の色の重なり具合のずれが挙げられる。例えば、像担持体と照射ビームの主走査方向が傾いていれば、画像として主走査線の傾いたものが形成され、複数の色のうちのひとつの色に関して傾いていれば、その色だけが他の色からずれた画像が形成されることになる。
【０００４】
そこで、主走査方向の走査線傾きを光書込装置の反射部材を変位させることで調整することが行なわれている。具体的には、図１３に示すように、光書込装置２００では、光源２０１から射出された光ビームを像担持体である感光体に導くための反射部材である反射ミラー２０２が互いに対向する保持板２０３ａ，２０３ｂに移動自在に保持されている。そして、一方の保持板２０３ｂの外側において、反射ミラー２０２の例えば反射面の反対側からバネ（図示せず）により付勢され、反射面側をネジ２０５により支持されている。ネジ２０５は、この反射面に垂直、すなわち、保持板２０３ｂに対して平行に配置されており、このネジ２０５を反射ミラー２０２に対して進退させることにより、反射ミラー２０２の位置の調整を行う構造である。このようなネジ式の調整機構は、例えば、特許文献１，２に開示されている。
【０００５】
【特許文献１】特開平６−１８３０５６号公報
【特許文献２】特開２００２−１４８５５１公報
【発明の開示】
【発明が解決しようとする課題】
【０００６】
このようなネジ式では、調整のためのネジ２０５に対するアクセス方向は、ネジ２０５の進退方向と同じ方向であり、つまり、反射ミラー２０２の反射面に垂直方向であり、反射ミラー２０２の変位方向である。図１３に示した例では、保持板２０３ｂに沿った方向である。このとき、図１３に示した例では、保持板２０３ｂに工具を沿わせて作業しなければならず、調整作業が困難である。また、レイアウト上、反射ミラー２０２の反射面の垂直方向にほとんど空間が取れない場合には、このようなネジ式では、調整作業が困難になってしまったり、できなくなってしまう。また、複数の反射ミラー２０２が、図１３に示すように、平行に並べて配置されると、やはり、調整作業のスペースが狭くなってしまい、調整作業が困難なものとなってしまう場合がある。そこで、これらの問題を解決する為に、例えば、画像形成装置全体のレイアウトを変更することにより上述した問題の解決を図る場合には、装置が大型化する、工数がかかる、他の予期しない不具合の発生を招くおそれがある、等の問題が発生し、望ましくない。
【０００７】
また、複数の光源２０１から複数の光ビームを照射する光書込装置２００の場合、それぞれの光路に配置した反射ミラー２０２の配置により、反射ミラー２０２の変位と走査線傾きの量的な関係が複数の光ビーム毎に異なっていることがある。
【０００８】
本発明の目的は、反射部材の位置調整作業のためのアクセスをネジ式のものとは異なる方向からできるようにすることである。
【課題を解決するための手段】
【０００９】
請求項１記載の発明は、像担持体に光ビームを照射して書き込みを行う過程で、反射部材により光ビームを反射する光書込装置において、カムの回動位置に応じて前記反射部材の位置決めを行う位置決め機構を備える。
【００１０】
請求項２記載の発明は、請求項１記載の光書込装置において、前記カムの外周形状は、少なくとも２つの半径の異なる円周を組み合わせた形状である。
【００１１】
請求項３記載の発明は、請求項１記載の光書込装置において、前記カムは、当該カムの回動角度と、この回動角度に対応する当該カムの径方向の距離とが比例する形状に形成されている。
【００１２】
請求項４記載の発明は、請求項１記載の光書込装置において、前記カムは、前記反射部材に対する位置決めの調整幅が大きい第１のカムと前記反射部材に対する位置決めの調整幅が小さい第２のカムとが組み合わされて構成されている。
【００１３】
請求項５記載の発明は、請求項１記載の光書込装置において、前記位置決め機構は、レバー支点を中心に回動自在であり前記レバー支点から離れた位置に前記カムを保持するレバーを有し、このレバーの回動位置に応じても前記反射部材の回動方向の位置決めを行い、前記レバーの前記反射部材に対する位置決めの調整幅は、前記カムの前記反射部材に対する位置決めの調整幅よりも大きい。
【００１４】
請求項６記載の発明は、請求項１，２，３，４又は５記載の光書込装置において、複数の光路を備え、前記反射部材は、複数設けられて、複数の前記光路に配置され、前記位置決め機構は、互いに異なる前記光路に配置された少なくとも２つの前記反射部材毎に設けられ、それらの前記位置決め機構は、位置決めの調整量が異なる。
【００１５】
請求項７記載の発明は、光書込装置により像担持体に光を照射して書き込んだ画像を現像して記録媒体に転写する画像形成装置において、前記光書込装置を請求項１，２，３，４，５又は６記載の光書込装置とした。
【発明の効果】
【００１６】
本発明によれば、反射部材の位置調整のためのアクセスをネジ式のものとは異なる方向から行うことができる。
【発明を実施するための最良の形態】
【００１７】
本発明の第一の実施の形態を図１ないし図６に基づいて説明する。本実施の形態は、画像形成装置として電子写真方式のカラープリンタへの適用例である。ここで、図１は本実施の形態のカラープリンタを概略的に示す縦断側面図である。
【００１８】
図１に示すように、カラープリンタ１の本体ケース２内部の略中央部には、４つの作像部３（３Ｙ、３Ｃ、３Ｍ、３Ｋ）と、光ビームを出射する光書込装置４と、中間転写ベルト５とが配置されている。各作像部３はそれぞれ異なる色の画像（トナー像）を形成する部分であり、これらの作像部３及びその作像部３の構成部品等に関する本明細書及び図面の記載において、Ｙ、Ｃ、Ｍ、Ｋの添え字は、各々イエロー、シアン、マゼンタ、ブラックの色を示している。
【００１９】
４つの作像部３Ｙ、３Ｃ、３Ｍ、３Ｋは、使用するトナーの色が異なるために形成される画像の色が異なるものであり、基本的な構造は同じである。各作像部３は、矢印方向へ回転駆動される像担持体である感光体６（６Ｙ、６Ｃ、６Ｍ、６Ｋ）、感光体６の周囲に配置された帯電部７、現像部８、クリーニング部９等により構成されている。
【００２０】
感光体６は、円筒状に形成され、駆動源（図示せず）により回転駆動される。感光体６の外周面部には感光層が設けられており、感光体６の表面である外周面６ａは被走査面とされている。光書込装置４から出射された光ビームが感光体６の外周面６ａに照射されることにより、感光体６の外周面６ａには画像情報に応じた静電潜像が書き込まれる。
【００２１】
帯電部７は、感光体６の外周面６ａを一様に帯電するもので、感光体６に対して非接触方式のものが採用されている。
【００２２】
現像部８は、感光体６へのトナーの供給を行い、供給されたトナーが感光体６の外周面６ａに書き込まれた静電潜像に付着することにより感光体６上の静電潜像がトナー像として顕像化させるもので、感光体６に対して非接触方式のものが採用されている。
【００２３】
クリーニング部９は、感光体６の外周面６ａに付着している残留トナーをクリーニングするもので、感光体６の外周面６ａにブラシを接触させるブラシ接触方式のものが採用されている。
【００２４】
中間転写ベルト５は、樹脂フィルム又はゴムを基体として形成されたループ状のベルトで、感光体６上に形成されたトナー像が転写される。この中間転写ベルト５は、ローラ１１、１２、１３により支持されて矢印方向へ回転駆動される。中間転写ベルト５の内周面側（ループの内側）には、各感光体６上のトナー像を中間転写ベルト５上に転写させるために中間転写ベルト５を感光体６に押圧する４個の転写ローラ１４が配置されている。中間転写ベルト５の外周面６ａ側（ループの外側）には、中間転写ベルト５の外周面６ａに付着した残留トナーや紙粉等をクリーニングするクリーニング部１５が配置されている。
【００２５】
本体ケース２内における４個の作像部３及び光書込装置４の下方には、記録媒体（用紙）が積層保持される給紙カセット１６が配置されている。給紙カセット１６内に積層保持されている記録媒体は、最上位のものから順に分離給紙される。
【００２６】
本体ケース２内には、給紙カセット１６内から分離給紙された記録媒体が搬送される搬送経路１７が形成されている。この搬送経路１７上には、給紙ローラ１８ａ、レジストローラ１８ｂ、転写ローラ１９、定着部２０、排紙ローラ２１等が配置されている。
【００２７】
レジストローラ１８ｂは、所定のタイミングで間欠的に回転駆動されるローラである。このレジストローラ１８ｂが間欠的に回転駆動されることにより、レジストローラ１８ｂの位置まで搬送されて停止していた記録媒体が、中間転写ベルト５と転写ローラ１９とにより挟まれる転写位置へ送り込まれ、この転写位置において中間転写ベルト５上のトナー像が記録媒体に転写される。ここに、中間転写ベルト５と転写ローラ１９とにより転写部が構成されている。
【００２８】
定着部２０は、記録媒体上に転写されたトナー像を熱と圧力とを加えて記録媒体に定着させる部分である。定着部２０内を通過する過程においてトナー像が定着された記録媒体は、排紙ローラ２１により本体ケース２の上面部に形成されている排紙トレイ２２上に排紙される。
【００２９】
次に、光書込装置４について詳しく説明する。図２は光書込装置４を示す水平断面図、図３は光書込装置４を示す縦断側面図である。
【００３０】
図２及び図３に示すように、光書込装置４は、所謂対向走査方式のものであり、光ビームを発振する４つのレーザ光源ユニット（ＬＤユニット）６１（６１Ｙ、６１Ｃ、６１Ｍ、６１Ｋ）、各レーザ光源ユニット６１からの光ビームを対称な２方向に振り分けて偏向走査する光偏向器６２、偏向走査した光ビームを感光体６上で所望の大きさに結像させる例えばｆθレンズから構成される結像光学系６３、光ビームの走査開始タイミングを検知する同期検知手段６４、光ビームを反射して感光体６に導くための反射部材である反射ミラー８０ｂなどを備えている。これらの各部によって、４つレーザ光源ユニット６１から感光体６へ到る４つの光路が形成される。これらの各部は、上面開口の筐体６５内に保持されている。筐体６５の上面は、カバー６７により閉じられている。このカバー６７には、光ビームが通過する開口６８が設けられており、これらの開口６８には防塵部材６９が取り付けられている。この防塵部材６９は平板ガラスである。
【００３１】
レーザ光源ユニット６１は、光源である半導体レーザ７０と、半導体レーザ７０から射出された発散光を略平行化するコリメートレンズ（図示せず）と、半導体レーザ駆動回路基板７１とが保持部材により保持されて構成されている。
【００３２】
光偏向器６２は、２段の回転多面鏡７２、この回転多面鏡７２を回転させる多面鏡モータ７３、回転多面鏡７２を覆う防音ガラス７４などから構成されている。
【００３３】
書込み開始のタイミングを決定するための同期検知手段６４は、結像光学系６３を通過した光ビームを同期検知用ミラー８１で折り返して受光し、走査開始の同期信号を出力する。ここで、同期検知の本来の意味は、走査光のタイミングを取ることであるので、同期検知手段６４は、通常走査に先立って光ビームを受光するように設置されていれば良いが、更に、１走査の速度（あるいは時間）の変動を検知するために、走査後端にも検知手段を設置しても良い。図２には、そのような走査の前後で同期を取るような構成を示した。
【００３４】
同期検知手段６４は、結像レンズ７５と、光電素子７６を持つ電気回路基板７７と、それらを保持する保持部材（図示せず）から構成されている。
【００３５】
反射ミラー８０ｂの取付構造を図４ないし図６に基づいて説明する。ここで、図４は反射ミラー８０ｂの取付構造を示す断面図、図５はその分解斜視図、図６はカムを概略的に示す概略図である。図４に示すように、反射部材である反射ミラー８０ａ，８０ｂのうち反射ミラー８０ｂは、位置決め機構８５により位置調整可能に支持されている。すなわち、反射ミラー８０ｂは、筐体６５の底壁に立設され互いに対向する第１及び第２の保持板６６ａ，６６ｂに掛け渡されており、第１の保持板６６ａ側を支点として反射ミラー８０ｂの反射面８６の法線方向を接線方向とする回動方向に回動自在とされ、第２の保持板６６ｂにおいてその回動方向の位置決めがなされる構造である。以下に詳しく説明する。
【００３６】
図４及び図５に示すように、第１及び第２の保持板６６ａ，６６ｂに形成されたスリット８７ａ，８７ｂ内には、板バネ８８ａ，８８ｂが取り付けられている。第１の保持板６６ａのスリット８７ａ内の板バネ８８ａに対向する位置には、２つの突起８９が形成されている。そして、第１の保持板６６ａ側では、スリット８７ａ内にて、板バネ８８ａと突起８９とにより反射ミラー８０ｂの一端側をその反射面８６側とこの反射面８６の裏側とから挟持している。第２の保持板６６ｂにおいては、第２の保持板６６ｂの外側において板バネ８８ｂと対向する位置にカム９０が配置されている。このカム９０は、図６に示すように、カム９０の回動中心９２が円心９３から偏心している円形状の偏心カムであり（以後、カム９０を偏心カムともいう）、その回動中心９２の軸方向は、第２の保持板６６ｂに垂直である。このカム９０の一方の側面側には、当該カム９０を工具（図示せず）を入れて回動操作するための円筒部９１が一体に設けられている。カム９０は、図４及び図５に示すように、第２の保持板６６ｂの外面に垂直に設けられたスタッド９４にネジ９５によりネジ止めされている。スタッド９４及びネジ９５は、カム９０の回動中心９２に位置し、ネジ９５はカム９０の回動中心９２に沿ってネジ込まれる。つまり、第２の保持板６６ｂの垂直方向から操作される。そして、第２の保持板６６ｂ側では、板バネ８８ｂとカム９０とにより、反射ミラー８０ｂの他端側をその反射面８６側とこの反射面８６の裏側とから挟持している。このとき、カム９０の外周面９０ａが反射ミラー８０ｂの反射面８６に当接しており、カム９０の回動中心９２の軸方向は、反射ミラー８０ｂの反射面８６に沿った方向に略平行である。
【００３７】
筐体の側壁のカム９０に対向する位置には、図示しない作業孔が形成されており、これらの作業孔により、カム９０に対する作業を可能としている。これらの作業孔には、作業孔を塞ぐ図示しない塞ぎ部材が着脱自在に取り付けられている。
【００３８】
このような位置決め機構８５により、図示しない作業孔を開放してネジ９５を緩めて円筒部９１に工具を入れてカム９０を回動させることによって、反射ミラー８０ｂが、第１の保持板６６ａ側を支点として、反射面８６の法線方向を接線とする回動方向に回動して、反射ミラー８０ｂの傾きが変化する。そして、反射ミラー８０ｂを所望の位置としたところで、ネジ９５を締めてカム９０をネジ止めすることにより、反射ミラー８０ｂの位置決めがなされる。なお、図４及び図５では、反射ミラー８０ｂのうちの一つを拡大して示したおり、他の反射ミラー８０ｂも同構造の位置決め機構８５により保持されている。
【００３９】
この光書込装置４では、図示しない原稿読取装置（スキャナー）あるいは画像データ出力装置（パーソナルコンピュータ、ワードプロセッサ、ファクシミリの受信部等）から入力される色分解された画像データを光源駆動用の信号に変換し、それに従い各レーザ光源ユニット６１内の半導体レーザ７０を駆動して光ビームを出射する。各レーザ光源ユニット６１から出射された光ビームは、アパーチャ７８及びシリンダレンズ７９、反射ミラー８０ａ（但し、レーザ光源ユニット６１Ｙ，６１Ｋから出射された光ビームに関してのみ）を介して光偏向器６２に至り、多面鏡モータ７３で等速回転されている回転多面鏡７２で対称な２方向に偏向走査される。
【００４０】
光偏向器６２の回転多面鏡７２で２ビームずつ２方向に偏向走査された光ビームは、結像光学系６３をそれぞれ通過し、反射ミラー８０ｂにより反射されて、防塵部材６９を介して各色用の感光体６の被走査面上に照射され静電潜像を書き込む。このとき、４つの光ビームの感光体６に対する照射角度は、ほぼ同一である。
【００４１】
このような構成において、光書込装置４により各感光体６に形成された各潜像は、各現像部８のＹ，Ｍ，Ｃ，Ｋの各色のトナーで現像されて顕像化され、その顕像化されたＹ，Ｍ，Ｃ，Ｋの各色のトナー画像は、転写部により転写材に転写される。そして、４色の画像が転写された転写材は定着部２０に搬送され、定着部２０で画像が定着された後、排紙ローラ２１により排紙トレイ２２上に排出される。
【００４２】
反射ミラー８０ｂは、位置決め機構８５により、反射面８６の法線方向を接線とする回動方向の所望の位置で位置決め可能であり、これにより、反射ミラー８０ｂの傾きが調整されるので、この反射ミラー８０ｂの傾きを調整することにより、主走査方向の走査線の傾きを調整することができる。このとき、位置決め機構８５に対する操作としては、ネジ９５に対する操作及びカム９０に対する操作が行われるが、そのアクセスは、反射ミラー８０ｂの反射面８６に沿った方向である光書込装置４の側方から行うことができる。すなわち、本実施の形態では、位置決め機構８５にカム９０を用いたカム構造としたことにより、反射ミラー８０ｂの変位方向（調整方向）とは異なる方向、つまり、従来のネジ式の調整機構とは異なる方向からアクセスして反射ミラー８０ｂに対する調整作業ができる。また、本実施の形態では、第２の保持板６６ｂに対面した作業となり、図１３に示した従来のネジ式のように側壁に対し工具を沿わせて作業するようなことが無いので、調整作業の作業性が向上する。また、複数の反射ミラー８０ｂが平行に並べて配置されていても、操作スペースを確保することができるので、操作作業性を向上することができる。
【００４３】
また、光ビームと感光体６とのずれによって主走査方向の傾きが発生した場合でも、そのずれを位置決め機構８５により補正することができ、これにより、部品や組立に要求される精度を緩和することができる。
【００４４】
なお、４つの光路に配置された各反射ミラー８０ｂに設けられた各位置決め機構８５に要求される調整量が４つの光路毎に異なるものである場合には、各位置決め機構８５の反射ミラー８０ｂに対する調整量を同じにせず、それぞれが求められる調整量となるように、互いに位置決め調整量を異なるようにしてよい。これは、カムの形状や偏心量を変えることにより実現することができる。これにより、各光路に対応する位置決め機構８５の調整感度を同程度にすることができる。
【００４５】
また、位置決め機構８５を全ての反射ミラー８０ｂに設けなくてもよく、調整が必要とされる反射ミラー８０ｂにだけ位置決め機構８５を設けてよい。一例としては、ある１つの光路に配置された反射ミラー８０ｂには位置決め機構８５を設けず、他の３つの光路に配置された反射ミラー８０ｂに位置決め機構８５を設ける。そして、位置決め機構８５を設けていない反射ミラー８０ｂを基準として、位置決め機構８５を設けた他の反射ミラー８０ｂの傾きを調整して、それぞれの光路間の調整を行ってもよい。
【００４６】
次に、本発明の第二の実施の形態を図７に基づいて説明する。なお、上述した実施の形態と同じ部分は同一符号で示し説明も省略する。図７は本実施の形態のカムを概略的に示す概略図である。
【００４７】
第一の実施の形態において、４つの光源である半導体レーザ７０に対応する光路中のそれぞれの反射ミラー８０ｂの傾き調整について考える。この場合、それぞれの反射ミラー８０ｂに対する光ビームの入射角度が異なることにより、反射ミラー８０ｂをその反射面８６の法線方向を接線方向とする回動方向に変位させたときの感光体６に対する走査線の傾きの変化量は異なってくる。つまり、入射角度が小さいほど感光体６に対する走査線の傾きの変化量は小さくなっている。従って、画像上で同じ量の傾きを補正するための反射ミラー８０ｂの変位は、それぞれで異なっている。この変位の差が小さければ、ひとつの偏心カム９０を共通に使用することができる。しかし、変位の差が大きい場合、ひとつの偏心カム９０を共用すると、反射ミラー８０ｂに対する調整量を確保すると分解能が得られないし、分解能を上げると調整量が足らなくなるということが生じる。
【００４８】
そこで、本実施の形態では、図７に示すように、カム１０１の断面形状を、半径の異なる２つの円形を合体させた形状、即ち、半径の異なる２つの円周を組み合わせた形状とした。このカム１０１の回動中心１０２は大小の円の円心１０３，１０４の間に設定されている。このとき、図７において一方の円周と他方の円周を左側で段差なく繋いでおり、右側には、段差が形成される。
【００４９】
このような構成により、反射ミラー８０ｂの調整量を確保しながら分解能も確保することができる。これにより、要求される調整量が異なる複数の反射ミラー８０ｂに対応して反射ミラー８０ｂの位置調整を同一形状のカム１０１で行うことができる。
【００５０】
次に、本発明の第三の実施の形態を図８に基づいて説明する。ここで、図８は本実施の形態のカムを概略的に示す概略図である。
【００５１】
第一の実施の形態で示した円形の偏心カム９０では、反射ミラー８０ｂの調整範囲は偏心量で決まり、円の半周しか有効ではない。また、カム９０の回動角度に対する当該カム９０の径方向の距離（以後、カム変位量という）の割合も変化するので、調整作業がやや難しい。そこで、本実施の形態では、カムとして、回動角度に対するカム変位量が略一定となるカム１１１（いわゆるアンモナイトカム）を採用した。ここで、ｄ：カム変位量、ｅ：偏心量、θ：回動角度、ｒ：半径とすると、
ｄ＝ｅcosθ−ｒ      ［式１］
である。回動角度とカム変位量の割合を略一定にするには、ｒ0：初期径とすると、
ｒ＝ｒ0＋ｅθ/２π    ［式２］
とすることにより実現でき、本実施の形態のカム１１１の半径ｒは、式２で示す半径に設定されている。
【００５２】
このような構成により、カム１１１において、回動角度に対するカム変位量が略一定になるので、反射ミラー８０ｂの調整作業がやり易い。
【００５３】
また、反射ミラー８０ｂとカム１１１との接触位置の移動量が小さく、回動角度との線形性もよく、調整範囲を大きくとることができるので、調整作業を容易化することができる。
【００５４】
次に、本発明の第四の実施の形態を図９ないし図１１に基づいて説明する。ここで、図９は本実施の形態のカムを概略的に示す概略図、図１０はその分解斜視図、図１１はその断面図である。
【００５５】
本実施の形態は、第一の実施の形態に対してカムが異なる。図９に示すように、本実施の形態のカム１１２は、第１及び第２のカムである偏心量の異なる大小２つの円状の偏心カム１１３，１１４を組み合わせて構成されている。詳しくは、図１０及び図１１に示すように、偏心量が大きい疎調整用の第１の偏心カム１１３がネジ１１５によりスタッド９４にネジ止めされ、この第１の偏心カム１１３の外側に、偏心量が小さい微調整用の円筒状の第２のカム１１４が嵌合している。図９に示すように、第１の偏心カム１１３の回動中心１１６は、円心１１７から偏心している。図１０及び図１１に示すように、第１の偏心カム１１３の外周面１１３ａには、複数の凹部１１３ｂが環状に形成され、第２のカム１１４の内周面１１４ａには、凹部１１３ｂに嵌合する突部１１４ｂが形成されている。この第２のカム１１４の回動中心は第１の偏心カム１１３の円心１１７であり、第２のカム１１４の円心は第１の偏心カム１１３の円心１１７から偏心している。
【００５６】
この構造では、第２のカムの外周面１１４ｃに反射ミラー８０ｂの反射面８６が当接する。そして、第１の偏心カム１１３は回動中心９２を中心に回転し、第２のカム１１４は、第１の偏心カム１１３の円心９３を中心に回転する。第１の偏心カム１１３の回転は、ネジ１１５を緩めることにより可能であり、第１の偏心カム１１３を所望の位置に回転させた後、ネジ１１５を締めることにより第１の偏心カム１１３が位置決めされる。第２のカム１１４を第１の偏心カム１１３に対して回転方向に力を加えることにより、第１及び第２の偏心カム１１３，１１４が弾性変形して突部１１４ｂが凹部１１３ｂから外れて第２のカム１１４が第１の偏心カム１１３に対して回転する。そして突部１１４ｂが凹部１１３ｂに嵌ることにより第２のカム１１４が位置決めされる。ここで、第１の偏心カム１１３は、反射ミラー８０ｂの位置決めの調整幅が大きく、第２のカム１１４は、反射ミラー８０ｂの位置決めの調整幅が小さい。
【００５７】
このような構成により、第１及び第２の偏心カム１１３，１１４により反射ミラー８０ｂの位置の粗調整と微調整とを行うことができる。これにより、調整範囲の拡大化と調整精度の向上の両立を図ることがき、調整作業を容易化することができる。
【００５８】
次に、本発明の第五の実施の形態を図１２に基づいて説明する。図１２は本実施の形態の位置決め機構を概略的に示す概略図である。
【００５９】
本実施の形態は、位置決め機構１２１が上述した実施の形態に対して異なる。ここで、本実施の形態のカムとしては、上述した実施の形態で説明しカムの全てを適用することが可能であるが、ここでは、第一の実施の形態で説明した円状の偏心カム９０を例に説明する。
【００６０】
偏心カム９０は、レバー１２２の一端側に回転自在に設けられネジ１２３により回動中心でネジ止めされている。このレバー１２２の他端側は、第２の保持板６６ｂの外面に垂直に形成されたレバー支点であるスタッド１２４に回動自在に支持されスナップ１２５により抜け留めされている。これにより、レバー１２２は、他端側を支点として第２の保持板６６ｂに沿って回動自在に保持されている。レバー１２２の中間部には、長穴１２６ａを有する長穴部１２６が形成されている。一方、第２の保持板６６ｂには、レバー１２２の位置調整用の偏心カム１２７が回転自在に設けられており、長穴部１２６の内部に配置されている。この偏心カム１２７は、長穴１２６ａの短手長さよりも小さい径に設定されており、その外周面が垂直方向から傾いたレバー１２２の長穴部１２６の内側に当接している。そして、このレバー１２２は、ネジ１２８により第２の保持板６６ｂにネジ止めされている。このネジ１２８は、長穴部１２６に配置されている。
【００６１】
このような構造では、偏心カム９０をネジ１２３によりレバー１２２に固定した状態でレバー１２２を回転させることにより、反射ミラー８０ｂの位置調整が可能であるとともに、レバー１２２を第２の保持板６６ｂに固定した状態で偏心カム９０を回転させることによっても、反射ミラー８０ｂの位置調整が可能である。本実施の形態では、レバー１２２が粗調整用であり、偏心カム９０が微調整用である。つまり、レバー１２２による反射ミラー８０ｂの位置決めの調整幅が、偏心カム９０の反射ミラー８０ｂに対する位置決め幅よりも大きく設定されている。
【００６２】
このような構成により、レバー１２２及び偏心カム９０により、反射ミラー８０ｂの位置決めにおいて粗調整及び微調整ができる。これにより、調整範囲の拡大化と調整精度の向上の両立を図ることがき、調整作業を容易化することができる。
【図面の簡単な説明】
【００６３】
【図１】本発明の第一の実施の形態のカラープリンタを概略的に示す縦断側面図である。
【図２】光書込装置を示す水平断面図である。
【図３】光書込装置を示す縦断側面図である。
【図４】反射ミラーの取付構造を示す断面図である。
【図５】その分解斜視図である。
【図６】カムを概略的に示す概略図である。
【図７】本発明の第二の実施の形態のカムを概略的に示す概略図である。
【図８】本発明の第三の実施の形態のカムを概略的に示す概略図である。
【図９】本発明の第四の実施の形態のカムを概略的に示す概略図である。
【図１０】その分解斜視図である。
【図１１】その断面図である。
【図１２】本発明の第五の実施の形態の位置決め機構を概略的に示す概略図である。
【図１３】従来の光書込装置を示す水平断面図である。
【符号の説明】
【００６４】
１      カラープリンタ（画像形成装置）
４      光書込装置
６      感光体（像担持体）
８０ｂ  反射ミラー（反射部材）
８５    位置決め機構
９０    カム
１０１  カム
１１１  カム
１１２  カム
１１３  第１の偏心カム（第１のカム）
１１４  第２の偏心カム（第２のカム）
１２１  位置決め機構
１２２  レバー
１２４  スタッド（レバー支点）
【図１】
2005084448.tif 000003
【図２】
2005084448.tif 000004
【図３】
2005084448.tif 000005
【図４】
2005084448.tif 000006
【図５】
2005084448.tif 000007
【図６】
2005084448.tif 000008
【図７】
2005084448.tif 000009
【図８】
2005084448.tif 000010
【図９】
2005084448.tif 000011
【図１０】
2005084448.tif 000012
【図１１】
2005084448.tif 000013
【図１２】
2005084448.tif 000014
【図１３】
2005084448.tif 000015